(57)【要約】      （修正有）【課題】天井に取り付ける軽鋼構造物に適用できるＬＥＤランプホルダーの構造を提供する。【解決手段】天板１の周辺に複数本のアングル材４と、つなぎブロック５と、透明パネル６とを組み合わせてなり、天板に整列された数列の突起部１１を設け、かつ各列の突起部の間に挟持部を設け、複数のＬＥＤチップ３を灯板２に設置する。灯板ごとを挟持部に取り付けて固定し、複数の灯板上のＬＥＤチップを回路によって接続した上、ランプホルダー外部に備えつける変圧器２Ａに挿入接続した後、天板と、透明パネルとをそれぞれ複数のアングル材内面に設けるスロット４１に取り付けて挟持結合を形成する。２つのアングル材同士はつなぎブロックにより締結して置き、これにより、天板に備える複数の突起部は湾曲耐性を形成し、変圧器の保守を容易にし、ランプホルダー全体の軽量化を実現した。【選択図】図３
0003182791.tif 000002
【実用新案登録請求の範囲】
【請求項１】
天井に取り付ける軽鋼構造物に適用できるＬＥＤランプホルダーの構造であって、前記天板の表面に複数の灯板と、ＬＥＤチップを取り付けていて、かつ周辺部に複数のアングル材と、つなぎブロックと、透明パネルとを組み合わせてなり、前記天板に整列された複数列の突起部を設けていて、かつ各列の前記突起部の間に挟持部を設けられ、複数のＬＥＤチップは前記灯板の裏側に設けた上、前記灯板を前記天板の前記挟持部に取り付けて固定して置き、前記アングル材は中空の貫通状を形成していて、かつ側面に開口部を開けられ、前記つなぎブロックはそれぞれ挿入面を有し、かつ前記挿入面はスプリングプレートを内設して、前記つなぎブロック両側の前記スプリングプレートを前記アングル材の側面に取り付け、前記スプリングプレートを前記アングル材側面の開口部に嵌め込み組立固定の形態を形成した上、前記天板と、前記透明パネルとをそれぞれ複数のアングル材の内面に取り付けたスロットに取り付けて挟持結合を形成し、２つアングル材同士は前記つなぎブロックに締結するとともに、前記ランプホルダーと前記変圧器との間はそれぞれソケットを有し前記変圧器は、前記ランプホルダー外部に位置し、かつ前記アングル材の内面のスロットに備える前記透明パネル表面は様々な縞模様を備え、
これにより、前記天板に備える複数の突起部が耐湾曲の働きを有するため、前記変圧器の保守が便利であり、さらに複数のアングル材と前記つなぎブロックとの組み合わせにより、前記ランプホルダーの軽量化を実現し、便利かつ高速組立を提供できるほか、前記透明パネルに備える縞模様によって、光線が屈折するときに、多種の幾何体の視覚映像変化を形成し、目の保護効果を有する構造。
【考案の詳細な説明】
【技術分野】
【０００１】
本考案は天板の周辺に複数のアングル材と、つなぎブロックと、透明パネルとを組み合わせてなり、天板に設けられた複数の突起部によって湾曲耐性を形成し、複数のアングル材とつなぎブロックとを組み合わせることにより軽量化を実現し、便利かつ高速組み合わせを提供できるほか、透明パネルの表面に備える縞模様によって、光線の屈折を多種の幾何体の視覚変化を形成する天井に取り付ける軽鋼構造物に適用できるＬＥＤランプホルダーの構造に関する。
【背景技術】
【０００２】
通常、天井に取り付けられている軽鋼構造物に取り付けるランプホルダーは灯管を組付けられているものが多く、しかもこの種のランプホルダーは一定の重量があるため、灯管と関連部品を組み付けた後、質量がもっとかさばると同時に灯管の寿命と発光の安定性も限られており、特に期間を経過した後、灯管が起動するときにちらつきまたは発光の遅延現象が見られたときは、灯管の寿命が尽きていることを示し使用者は新品交換をせざるをえない。
【考案の概要】
【考案が解決しようとする課題】
【０００３】
さらに、一般のランプホルダーに備える変圧器はランプホルダーの内部に隠されているため美観性の目的は達成するものの、保守するときにはランプホルダーを取り外す必要など大がかりな作業が必要となり作業も莫大な時間が掛かる。
【課題を解決するための手段】
【０００４】
以上、説明のとおり現在の灯管式ランプホルダーはさらに軽量化の余地があるため、本案を考案し、法により出願することになった。本考案は天井の周辺に複数本のアングル材と、つなぎブロックと、透明パネルとを組み合わせてなり、天板に整列された数列の突起部を設け、各列の突起部の間に挟持部を設けていて、複数のＬＥＤチップを灯板に取り付け灯板を挟持部に挟み固定を形成し、複数の灯板に取り付けられたＬＥＤチップは回路によって接続した上、ランプホルダー外部に位置する変圧器に挿入接続して、天板と、透明パネルとをそれぞれ複数のアングル材内部に設けられたスロットに取り付けて挟み結合を形成し、２つのアングル材同士はつなぎブロックによって締結して置き、ランプホルダー全体が軽量化を実現し、便利と高速組立を提供する天井に取り付ける軽鋼構造物に適用できるＬＥＤランプホルダーの構造を提供することを目的とする。
【０００５】
本考案の一目的は、天板に整列された数列の突起部を設け、多数のＬＥＤチップと、灯板とを取り付けた後、湾曲耐性によって下方への曲がり変形を防止でき、天井に取り付ける軽鋼構造物に適用できるＬＥＤランプホルダーの構造を提供する。
【０００６】
本考案もう一つの目的は、ランプホルダーと変圧器との間にそれぞれソケットを設け、変圧器をランプホルダーの外部に設け、２つのソケットを接続し電気導通して使用することができるほか、ランプホルダー全体を分解することなく、そのまま保守できる天井に取り付ける軽鋼構造物に適用できるＬＥＤランプホルダーの構造を提供する。
【０００７】
本考案さらに一つの目的は、２つのアングル材同士はつなぎブロックによって締結され、アングル材は中空の貫通状を形成していて、側面に開口部を開けられ、つなぎブロックの両側にそれぞれ挿入面を有し、挿入面にスプリングプレートを設け、つなぎブロック両側の挿入面をそれぞれアングル材のアングル材の側面に取り付け、スプリングプレートをアングル材側面の開口部に嵌め込み、組立固定の態様を形成する天井に取り付ける軽鋼構造物に適用できるＬＥＤランプホルダーの構造を提供する。
【０００８】
本考案のまた一つの目的は、天板と、透明パネルとをそれぞれ複数のアングル材の内面に設けられたスロットに取り付けて挟持結合を形成し、天板と、透明パネルとを複数のアングル材に固定することができる天井に取り付ける軽鋼構造物に適用できるＬＥＤランプホルダーの構造を提供する。
【０００９】
本考案のまた一つの目的は、アングル材の内面に備えるスロットに位置する透明パネルの表面は縞模様を有しており、ＬＥＤチップが発光するときは光線の屈折により、透明パネルが幾何体の視覚映像を形成し、まぶしいことはなく目に危害をおよぼさない、保護効果を有する天井に取り付ける軽鋼構造物に適用できるＬＥＤランプホルダーの構造を提供する。
【図面の簡単な説明】
【００１０】
【図１】本考案を示す図である（その１）。
【図２】本考案の局所拡大図（その１）である。
【図３】本考案を示す図である（その２）。
【図４】本考案の局所拡大図（その２）である。
【図５】本考案の局所拡大図（その３）である。
【図６】本考案の組立後を示す図である（その１）。
【図７】本考案の組立後を示す図である（その２）。
【図８】本考案の実施態様図である（その１）。
【図９】本考案のもう一つの態様図である。
【図１０】本考案のさらに一つの態様図である。
【考案を実施するための形態】
【実施例】
【００１１】
まず、図１ないし５と合わせて詳細説明する。本考案は天井に取り付ける軽鋼構造物に適用できるＬＥＤランプホルダーの構造である。天板１の表面に複数の灯板２とＬＥＤチップ３とを組み付けていて、かつ周辺部に複数本アングル材４と、つなぎブロック５と、透明パネル６とを組み合わせてなる。そのうち、天板１は整列された数列の突起部１１を設けていて、かつ各列の突起部１１の間に挟持部１２（図２）を設けることによって、複数のＬＥＤチップ２を灯板３に取り付けた上、灯板３を挟持部１２に取り付けて固定して置き、複数の灯板３上のＬＥＤチップ２は回路によって接続した上、ランプホルダー外部の変圧器２Ａに挿入接続する。すなわち、ランプホルダーと変圧器２Ａとの間はそれぞれソケット１Ａ、２Ａ１を有し、変圧器２Ａがランプホルダーの外部に位置し、２つのソケット１Ａ、２Ａ１を接続した後電球を供給して使用できる（図３、４）。引き続き、天板１と、透明パネル６をそれぞれ複数のアングル材４内面に設けられたスロット４１に取り付けて挟み結合を形成し（図３、８）、２つのアングル材４同士はつなぎブロック５によって締結する。そのうち、アングル材４は中空の貫通状を形成し、側面端部に開口部４２を開けられ、つなぎブロック５の２つの側面はそれぞれ挿入面５１を有し、挿入面５１の内部にスプリングプレート５２を有し、つなぎブロック５両側の挿入面５１をそれぞれアングル材４の側面に取付けて、かつスプリングプレート５２よりアングル材４側面の開口部４２に嵌め込み、組立固定の態様を形成する（図４、５）。一方、アングル材４内面のスロット４１内部に備える透明パネル６の表面はそれぞれ異なる縞模様６１（図３）を有する。
【００１２】
天板１の表面に複数の灯板２とＬＥＤチップ３とを組付けた後、天板１と、複数の透明パネル６とをそれぞれの複数のアングル材４内面に設けられたスロット４１に取り付けて挟持結合を形成した上、周辺部は複数のアングル材４と、つなぎブロック５とを結合して、一式のランプホルダー（図６、７）を形成した後電気を導通して、各ＬＥＤチップ３を発光させ照明に利用する（図８）。このとき、２つの透明パネル６表面に様々な縞模様を有するため、ＬＥＤチップ３が発光するとき、光線の屈折により、透明パネル６を見ていても目がまぶしく目をけがすることはなく、ピラミッドなどの幾何体の視覚効果を形成し、目に保護を提供すると共に、視覚映像効果を形成することができる。
【００１３】
さらに、ＬＥＤチップ３が発光するとき、光線の屈折をより豊富な変化を図るため、透明パネル６の取り付け数（図９、１０）を増加することによって、より豊富な視覚映像変化を実現できる。
【００１４】
このほか、天板１は複数の突起部１１によって湾曲耐性を形成し、変圧器２Ａはランプホルダーの外部に取り付けられているため、ランプホルダー全体を分解必要はなく、直接に保守できるほか、ランプホルダー全体特にアングル材４と、つなぎブロック５の内部はくりぬき状を形成しており、ランプホルダー全体の質量の軽量化を実現し、搬送および取り付けが便利、かつ高速に組立できる。
以上の説明より、本考案は前述した多数の効果を確実に備えており、特許の成立要件を満たしており、よって、法により出願し実用新案の登録を許可されたい。
【符号の説明】
【００１５】
１            天板
１１            突起部
１２            挟持部
１Ａ            ソケット
２            灯板
２Ａ            変圧器
２Ａ１            ソケット
３            ＬＥＤチップ
４            アングル材
４１            スロット
４２            開口部
５            つなぎブロック
５１            挿入面
５２            スプリングプレート
６            透明パネル
６１            縞模様
【図１】
0003182791.tif 000003
【図２】
0003182791.tif 000004
【図３】
0003182791.tif 000005
【図４】
0003182791.tif 000006
【図５】
0003182791.tif 000007
【図６】
0003182791.tif 000008
【図７】
0003182791.tif 000009
【図８】
0003182791.tif 000010
【図９】
0003182791.tif 000011
【図１０】
0003182791.tif 000012